(57)【要約】【課題】接続ケーブルの存在を意識することなく接続ケーブルの携帯性を向上させることができ所望の時には容易に接続ケーブルを介して他の機器との有線データ通信を実行できる構造の携帯用電子機器を提供する。【解決手段】外部機器２との間で通信を行う通信用のケーブル１７を備える携帯用電子機器１において、ケーブルは一端が携帯用電子機器に接続されており他端には外部機器との接続用のコネクタ１７ａを有してなり、携帯用電子機器の筐体１０の外周面に対する装着状態と非装着状態とに変位自在に配設され、ケーブルの非装着状態ではケーブルは少なくともコネクタを含む所定の長さ分を筐体の外周面から取り外し得るように構成した。【選択図】図１
2009253687.tif 000002
【特許請求の範囲】
【請求項１】
外部機器との間で通信を行う通信用のケーブルを備える携帯用電子機器において、
上記ケーブルは、一端が携帯用電子機器に接続されており、他端には外部機器との接続用のコネクタを有してなり、当該携帯用電子機器の筐体の外周面に対する装着状態と非装着状態とに変位自在に配設され、
上記ケーブルの非装着状態では、上記ケーブルは、少なくとも上記コネクタを含む所定の長さ分を上記筐体の外周面から取り外し得るように構成したことを特徴とする携帯用電子機器。
【請求項２】
上記筐体は、表面にストラップ取付部を有して構成されており、
上記ケーブルの装着状態では、上記コネクタは上記ストラップ取付部近傍に配置されることを特徴とする請求項１に記載の携帯用電子機器。
【請求項３】
上記ストラップ取付部は、当該携帯用電子機器の一側面のグリップ部に設けられることを特徴とする請求項２に記載の携帯用電子機器。
【請求項４】
上記ケーブルの装着状態では、上記コネクタは上記グリップ部の一部を構成することを特徴とする請求項３に記載の携帯用電子機器。
【請求項５】
上記ケーブルは、上記筐体の外周面のうちの少なくとも底面に装着され、上記ケーブルの上記筐体底面に装着される部分には、上記筐体底面に形成されている固定用器具取付用ネジ孔に対応する孔部が形成されていることを特徴とする請求項１〜請求項４のうちのいずれか一つに記載の携帯用電子機器。
【請求項６】
上記コネクタの一端は、上記筐体の上記グリップ部が形成される一側面とは反対側の他側面に取り付けられ、
上記ケーブルは、上記他側面から上記筐体底面を経由して上記一側面にわたって上記筐体の外周面に沿わせて装着されることを特徴とする請求項３〜請求項５のうちのいずれか一つに記載の携帯用電子機器。
【請求項７】
上記筐体の外周面のうち上記ケーブルが装着される部分には、上記ケーブルを装着するための溝部が形成されていることを特徴とする請求項１〜請求項６のうちのいずれか一つに記載の携帯用電子機器。
【請求項８】
上記ケーブルは、上記装着状態において上記筐体を衝撃から保護することを特徴とする請求項１に記載の携帯用電子機器。
【請求項９】
上記ケーブルは、上記筐体外周面のうち少なくとも底面に装着され、上記筐体底面に装着される部分は、上記ケーブルの装着状態において、上記筐体に設けられる電池蓋を遮蔽することを特徴とする請求項１に記載の携帯用電子機器。
【請求項１０】
上記ケーブルは、上記筐体外周面のうち少なくとも底面に装着され、上記筐体底面に装着される上記ケーブルの表面は、その装着状態とした時には上記筐体底面よりも当該底面よりも外方に突出するように取り付けられることを特徴とする請求項１に記載の携帯用電子機器。
【請求項１１】
請求項１〜請求項１０のうちのいずれか一つに記載の携帯用電子機器は、カメラであることを特徴とする。
【発明の詳細な説明】
【技術分野】
【０００１】
この発明は、携帯用電子機器、詳しくは使用者が主に携帯して利用される電子機器において、外部機器との間で有線接続によるデータ通信を行う際のケーブルを備えて構成される携帯用電子機器に関するものである。
【背景技術】
【０００２】
近年、撮影レンズにより結像した被写体の光学像をＣＣＤ等の撮像素子を用いて光電変換処理して画像信号を取得し、その取得した画像信号に基いてデジタル画像データを生成し、生成された画像データを半導体メモリ等の記録媒体に記録するようにしたデジタルカメラや、このデジタルカメラ等によって取得したデジタル画像データに基いて主に画像の再生表示を行う画像再生装置（画像ビュワー等）や、マイクロフォンで集音した対象物の音声を電気信号に変換処理して取得した音声信号又はライン入力等によって入力される音声信号に基いてデジタル音声データを生成し、生成された音声データを半導体メモリ等の記録媒体に記録するようにした音声記録再生装置（デジタル音声レコーダ等）や、この音声記録再生装置等によって取得した音声データに基いて主に音声再生を行う音声再生装置（音楽プレーヤ等）等、各種のデジタルデータを扱うさまざまな携帯用電子機器が実用化され、また広く普及している。
【０００３】
このような携帯用電子機器は、データの取得時やデータの利用時には機器単独で使用することが可能とされているものである。その一方で、これらの携帯用電子機器は、例えば小型コンピュータ等の外部電子機器と連繋して用いることにより、各機器によって取得されたデータに対して各種のデータ処理を施したり、大量のデータを蓄積する等、その用途を拡大し利便性を向上させることができるようになっているものがある。
【０００４】
具体的には、例えば、携帯用電子機器にて取得され記録媒体に記録された画像データや音声データ等を、各機器に接続した小型コンピュータに転送した場合には、使用者は、この小型コンピュータを用いて、任意に各種のデータ処理等を行うことができるようになる。また、小型コンピュータ等は、各機器の有する記録媒体に比べて大容量の記録媒体を備えていることが普通であることから、各機器で取得した各種データを小型コンピュータへ転送し、その大容量記録媒体に蓄積することができるようになる。そして、各機器の記録媒体上のデータを任意に書き換えることで、所望のデータのみを携帯するといった利用がおこなわれている。
【０００５】
さらに、小型コンピュータは、大規模ネットワーク等に接続されている場合には、当該小型コンピュータを用いてネットワーク上の他のコンピュータから各種のプログラムやデータをダウンロードすることができるので、これらのデータを小型コンピュータを介して携帯用電子機器に記録させるといった用途も考えられる。
【０００６】
特に、近年においては、音楽観賞用に特化した携帯用音声再生装置が広く普及しており、このような携帯用音声再生装置では、ネットワーク上の他のコンピュータ上に記録されている音楽データ等を、機器に接続した小型コンピュータを介してダウンロードすることのできるシステムが実用化されている。
【０００７】
このように、近年における携帯用電子機器では、単独で使用するばかりではなく、小型コンピュータ等に代表される外部電子機器に接続して使用することが多くなっていることから、携帯用電子機器と外部電子機器（小型コンピュータ等）との間を接続するための接続環境が重要になっている。
【０００８】
この場合において、携帯用電子機器と外部電子機器との間を接続する接続方式としては、有線接続方式と無線接続（ワイヤレス）方式とがあるが、データの転送速度や接続方式を確立する構成ユニットのためのコスト的な問題を考慮すると、無線接続方式に比べて有線接続方式の方が優れていると言える。
【０００９】
しかしながら、機器同士の接続方式として有線接続方式を採用する場合には、各機器と外部機器との間を接続しデータ通信を行うための通信用の接続ケーブルが別途必要になる。
【００１０】
通常の携帯用電子機器は、使用者が気軽に持ち歩き、任意の場所で任意の時に使用されることが普通である。したがって、出先において携帯用電子機器を外部電子機器に接続して使用する可能性もあり得ることから、使用者は、携帯用電子機器に加えて接続ケーブルを共に携帯しておく手間が増えるという問題点がある。
【００１１】
一方、使用者によっては、携帯用電子機器を使用するのに際して接続ケーブルの使用頻度に高低がある。通常の場合、接続ケーブルは所定の保管場所に保管しておくことになるが、接続ケーブルの使用頻度が低い使用者の場合、接続ケーブルの保管場所を忘れてしまったり紛失してしまうこと考えられる。このような場合、接続ケーブルを用いる作業を行おうとした時には、まず接続ケーブル自体を探すのに時間を取られてしまい、所望の作業を実行することができないといったことも考えられる。
【００１２】
そこで、外部電子機器との接続方式として有線接続方式を採用する携帯用電子機器において、接続ケーブルを常時携帯するための手間を省くことができ、かつ接続ケーブルの使用頻度が低い場合の紛失等を抑止するための工夫について、本出願人は、例えば特開２００６−２６２０２５号公報等によって開示している。
【００１３】
上記特開２００６−２６２０２５号公報によって開示されている手段は、携帯用電子機器としてのカメラに附属されるものであって、当該カメラを持ち運ぶ際に一般に利用される釣り紐（携帯用ストラップ）に着目し、そのカメラの携帯用ストラップ（釣り紐）を接続ケーブルで構成するようにしたものである。
【特許文献１】特開２００６−２６２０２５号公報
【発明の開示】
【発明が解決しようとする課題】
【００１４】
上述したように、上記特開２００６−２６２０２５号公報によって開示されている手段によれば、携帯用電子機器としてのカメラにおいて、本来附属している携帯用ストラップを接続ケーブルで構成するようにしたので、カメラを携帯して持ち運ぶ際には、当該カメラと共に、自然な形態で接続ケーブルをも常に同時に携帯し持ち運ぶことになる。したがって、使用者は、特に意識することなく、接続ケーブルを同時に持ち運ぶことができ、よって手間をかけて接続ケーブルを携帯する必要がなくなる。
【００１５】
このように、有線接続形式によって外部電子機器とのデータ通信を行う携帯用電子機器は、無線接続方式と比較してデータ転送速度の点で有利であることから、接続ケーブルを携帯するための手間を省くことができれば便利である。したがって、上記特開２００６−２６２０２５号公報等によって開示される形態以外にも、さまざまな技術的工夫が強く望まれている。
【００１６】
本発明は、上述した点に鑑みてなされたものであって、その目的とするところは、携帯用電子機器の筐体サイズを大型化することなく、接続ケーブルの非使用時には機器筐体に一体化した形態で装着する構造とすることで接続ケーブルの存在を意識することなく、接続ケーブルの携帯性を向上させることができると共に、所望の時には、容易に接続ケーブルを取り出して外部電子機器との間で有線接続方式によるデータ通信を迅速に実行することができるようにした携帯用電子機器を提供することである。
【課題を解決するための手段】
【００１７】
上記目的を達成するために、本発明による携帯用電子機器は、外部機器との間で通信を行う通信用のケーブルを備える携帯用電子機器において、上記ケーブルは、一端が携帯用電子機器に接続されており、他端には外部機器との接続用のコネクタを有してなり、当該携帯用電子機器の筐体の外周面に対する装着状態と非装着状態とに変位自在に配設され、上記ケーブルの非装着状態では、上記ケーブルは、少なくとも上記コネクタを含む所定の長さ分を上記筐体の外周面から取り外し得るように構成したことを特徴とする。
【発明の効果】
【００１８】
本発明によれば、携帯用電子機器の筐体サイズを大型化することなく、接続ケーブルの非使用時には機器筐体に一体化した形態で装着する構造とすることで接続ケーブルの存在を意識することなく、接続ケーブルの携帯性を向上させることができると共に、所望の時には、容易に接続ケーブルを取り出して外部電子機器との間で有線接続方式によるデータ通信を迅速に実行することができるようにした携帯用電子機器を提供することができる。
【発明を実施するための最良の形態】
【００１９】
以下、図示の実施の形態によって本発明を説明する。
【００２０】
まず、本発明の携帯用電子機器の詳細を説明する前に、本発明の携帯用電子機器を使用する際のシステム構成の概略を、以下に説明する。
【００２１】
図１は、本発明の携帯用電子機器を含めて構成されるシステム構成の概略を示す概念図である。
【００２２】
図１に示すように、本発明が適用され得る携帯用電子機器１００としては、例えばデジタルカメラ１，画像ビュワー１０１，音声記録再生装置１０２，音楽プレーヤ１０３等がある。
【００２３】
デジタルカメラ１は、撮影レンズによって結像させた被写体の光像をＣＣＤ，ＣＭＯＳ等の撮像素子で受光して光電変換処理等をおこなうことで画像信号を取得し、この取得した画像信号に基いてデジタル画像データを生成し、生成されたデジタル画像データを半導体メモリ，磁気記録媒体等の記録媒体に記録すると共に、この記録媒体に記録された画像データに基いて画像の再生表示を行う表示部等を有して構成されるものである。
【００２４】
画像ビュワー１０１は、上記デジタルカメラ１等によって取得されたデジタル画像データを蓄積記録する記録媒体を備え、この記録媒体に記録された画像データに基いて主に画像の再生表示を行う画像再生装置である。
【００２５】
音声記録再生装置１０２は、マイクロフォンで集音した対象物の音声を電気信号に変換処理して取得した音声信号又はライン入力等によって入力される音声信号に基いてデジタル音声データを生成し、生成されたデジタル音声データを半導体メモリ，磁気記録媒体等の記録媒体に記録すると共に、この記録媒体に記録された音声データに基いて音声の再生を行うスピーカ等を有して構成されるものであって、いわゆるデジタル音声レコーダ等が相当する。
【００２６】
音声再生装置１０３は、上記音声記録再生装置１０２等によって取得されたデジタル音声データを蓄積記録する記録媒体を備え、この記録媒体に記録された音声データに基いて主に音声の再生を行う音声再生装置であって、いわゆる音楽プレーヤ等が相当する。
【００２７】
このような各種の携帯用電子機器１００は、いずれも各種対応するデジタルデータを扱う電子機器であって、使用者が主に携帯して利用するのに便利なように、小型軽量に構成されているものである。そして、この携帯用電子機器１００は、他の外部装置１１０との間で通信用接続ケーブル１７を介した有線接続がなされることにより、双方向でのデータ通信を行なうことができるように、それぞれが通信機能を有して構成されている。
【００２８】
上記携帯用電子機器１００が接続される外部装置１１０としては、例えば小型コンピュータ（以下、ＰＣと略記する）２やプリンタ１１１等がある。
【００２９】
ＰＣ２は、デジタルデータを蓄積記録する記録媒体や、この記録媒体に記録されたデジタルデータに基いて表示や音声出力等、各データに応じた形態の出力を行う出力部と、各データに対応した各種のデータ処理等を行うソフトウエアと、これらを制御する制御回路等を備え、かつ上記携帯用電子機器１００との間で通信用接続ケーブルを介した有線接続によるデータ通信を行う通信部や、大規模ネットワーク１２０との接続機能を備えたデータ制御装置である。
【００３０】
プリンタ１１１は、上記携帯用電子機器１００が直接接続されたり、または上記ＰＣ２に接続されることで、接続された携帯用電子機器１００又はＰＣ２から画像データを受け取って印刷物を形成する印刷機などである。
【００３１】
上述したように、ＰＣ２は大規模ネットワーク１２０に接続し得る機能を備えている。したがって、ＰＣ２は、例えば大規模ネットワーク１２０上にある各種のデジタルデータのうち所望のデータを任意にダウンロードし、自身が有する記録媒体に蓄積記録することができるようになっている。
【００３２】
そして、ＰＣ２の記録媒体に記録された各種データは、通信用接続ケーブル１７を介して有線接続される携帯用電子機器１００に対してデータ通信機能を用いて転送することができるようになっている。このとき、転送された各データは、携帯用電子機器１００の記録媒体に蓄積記録されるようになる。
【００３３】
一方、携帯用電子機器１００の記録媒体に記録された各データは、通信用接続ケーブル１７を介してＰＣ２へと転送することができ、転送された各データは、ＰＣ２の記録媒体に蓄積記録されることになる。そして、これらの各データは、使用者の所望の操作にしたがって、ＰＣ２上で各種のデータ処理を行ったり、再生する等の利用のほか、大規模ネットワーク１２０上の機器に対してアップロードすることができるようになっている。
【００３４】
他方、プリンタ１１１に携帯用電子機器１００が直接接続されているような場合には、携帯用電子機器１００の記録媒体に記録された各データは、通信用接続ケーブル１７を介してプリンタ１１１へと転送することができる。ここで、転送された各データは、プリンタ１１１の記録媒体に蓄積記録されたり、若しくはプリント動作が実行されることにより、画像プリント（印刷物）が出力されるようになっている。
【００３５】
次に、本発明の第１の実施形態の詳細を、図２〜図６を用いて以下に説明する。
【００３６】
図２は、本発明の第１の実施形態の携帯用電子機器を備えたデジタルカメラの内部構成の概略を示すブロック構成図である。図３は、本実施形態のデジタルカメラを正面側から見た際の外観図である。なお、図３においては、本デジタルカメラのケーブルを装着状態とした時のようすを示している。
【００３７】
図４，図５，図６は、本実施形態のデジタルカメラのケーブルの主に非装着状態とした時のようすを示す外観斜視図である。このうち、図４は、ケーブルを装着状態から非装着状態へと変位させた際の態様を順次示すと共に、コネクタが外部機器に接続されるようすをも合わせて示している。図５は、ケーブルを非装着状態としたデジタルカメラの底面側のようすを示すと共に、電池蓋を開放した状態を合わせて示している。図６は、図５の状態から角度を換えた方向からの様子を示し、かつ電池蓋を閉状態とした際の様子を示している。
【００３８】
さらに、図７は、本実施形態のデジタルカメラのケーブル装着状態における正面，上面，底面，右側面，左側面の五面の概略を示す平面図である。
【００３９】
本実施形態は、上記デジタルカメラ１に対して本発明を適用した場合の例を示すものである。
【００４０】
まず、本発明の第１の実施形態の携帯用電子機器としてのデジタルカメラの概略構成を、以下に説明する。
【００４１】
本実施形態のデジタルカメラ１は、図２に示すように、撮影レンズユニット２１と、制御部２０と、撮像部２２と、ＲＡＭ２３と、ＲＯＭ２４と、記録再生部２５と、記憶部２６と、表示制御部２７と、表示部２８と、通信部２９と、操作部３０と、バスライン３１等とによって主に構成されている。
【００４２】
制御部２０は、プログラムに基づいて本デジタルカメラ１の全体を統括的に制御するものである。制御部２０には、撮影レンズユニット２１，撮像部２２，ＲＡＭ２３，ＲＯＭ２４，記録再生部２５，記憶部２６，表示制御部２７，通信部２９，操作部３０等がバスライン３１を介して電気的に接続されている。
【００４３】
具体的には、例えば制御部２０は、操作部３０からのズーム操作信号に応じて撮影レンズユニット２１のズーム用アクチュエータを駆動制御してズーム倍率を設定する制御をおこなったり、撮像部２２の撮像素子等により検出した画像のコントラスト信号を受けてこれに応じた合焦位置となるようにフォーカスレンズを移動させる制御等をおこなう。
【００４４】
また、制御部２０は、撮像部２２の撮像素子等により検出した画像の輝度信号に基づいて絞り機構やシャッター機構を制御して適正な露出の画像が得られるような制御を行う。
【００４５】
さらに、制御部２０は、撮像部２２から出力されＲＡＭ２３に一時的に格納された画像データについて色処理やガンマ処理等の各種画像処理を施す。
【００４６】
また、制御部２０は、圧縮伸長機能を備えており、撮影動作時には撮像部２２，ＲＡＭ２３を介して入力され、当該制御部２０にて各種のデータ処理が施された後の画像データについて圧縮処理（例えばＪＰＥＧ形式のデータ圧縮処理）等を行って記録再生部２５へと出力すると共に、再生動作時には記憶部２６の記録媒体に圧縮された形態で記録されている画像データを記録再生部２５を介して読み込んで、これを伸長処理する。
【００４７】
撮影レンズユニット２１は、ズームレンズ，フォーカスレンズ等の光学ユニットと、絞り機構，シャッター機構等を含んで構成され、制御部２０によって駆動制御される構成ユニットである。この撮影レンズユニット２１は、被写体からの光束を透過させて被写体の光像を撮像部２２の撮像素子受光面上に結像させる。
【００４８】
撮像部２２は、撮影レンズユニット２１によって結像される被写体の光像像を受けて画像信号に変換する光電変換処理を行う撮像素子や、この撮像素子から出力された電気信号を信号処理してデジタル画像データを出力する撮像処理部，ＡＤ変換部等を有して構成される構成ユニットである。この撮像部２２は、撮像素子により光電変換処理したデジタル画像データを出力する。
【００４９】
ＲＡＭ２３は、撮像部２２から出力されたデジタル画像データを一時的に格納したり、記憶部２６から読み込まれた画像データを格納する不揮発性メモリ等からなり、各種のデジタルデータ処理等を行う際にワークエリアとして利用される一時メモリ領域である。
【００５０】
ＲＯＭ２４は、不揮発性メモリ等からなり、制御部２０を制御するための制御用プログラムや各種の情報データ等が予め格納されている。
【００５１】
記録再生部２５は、撮影動作時には制御部２０で圧縮された画像データを記憶部２６に記録する一方、再生動作時には圧縮された形態で記憶部２６に記録されている所定の画像データを読み出して制御部２０等の画像処理部へと引き渡す処理をおこなう回路部である。
【００５２】
記憶部２６は、例えばフラッシュメモリやハードディスク等の記録媒体を含んで構成されている。撮影動作時には、制御部２０で圧縮され記録再生部２５を介して受け取った画像データは当該記憶部２６の記録媒体に記録される。
【００５３】
表示制御部２７は、撮像部２２から制御部２０，ＲＡＭ２３を介して出力される画像データもしくは記録再生部２５を介して記憶部２６から読み込んだ画像データに基いて表される画像を表示部２８に表示する制御をおこなう回路部である。
【００５４】
表示部２８は、例えば液晶ディスプレイ（ＬＣＤ）等からなり、表示制御部２７から出力された画像データに基いて表される画像を表示する。この表示制御部２７は、撮影動作時には、制御部２０にて生成され表示に適する形態の画像処理が施されたモニタ画像信号を表示部２８に連続的に表示する制御を行う。また、表示制御部２７は、再生動作時には、記憶部２６から読み出され制御部２０で伸長処理された画像データに基づく画像を表示する。
【００５５】
操作部３０は、本デジタルカメラ１の筐体表面に複数設けられた操作ボタンから生じる操作指示信号を検出して制御部２０へと通知する回路部である。
【００５６】
通信部２９は、本デジタルカメラ１とＰＣ２等の外部機器との間で、有線接続方式により画像データ，音声データ，音楽データ等の送受信動作を実行するための構成部である。別な言い方をすれば、通信部２９は、本デジタルカメラ１の記憶部２６の記録媒体に記録されている画像データ等を外部機器へと送信したり、外部機器の記録媒体に記録されている画像データ，音声データ，音楽データ等を受信するためのインターフェースである。この通信部２９は、有線接続によって外部機器との高速通信を行う有線機能を備えてなるものであって、具体的には、例えばＵＳＢ規格に準拠した有線接続方式等が適用される。
【００５７】
通信用接続ケーブル１７は、本デジタルカメラ１と外部機器であるＰＣ２との間を有線により電気的に接続する接続線である。
【００５８】
本実施形態のデジタルカメラ１における通信用接続ケーブル１７の一端である基端部１７ｄは、本デジタルカメラ１に対して固設されており、他端には接続コネクタ１７ａを有して構成されている。そして、この接続コネクタ１７ａは、外部機器であるＰＣ２等のデータ通信用の接続部に接続され得る形態に形成されているものである。
【００５９】
次に、本実施形態のデジタルカメラ１の外観構成の概略を、図３〜図６等を用いて以下に説明する。
【００６０】
本実施形態のデジタルカメラ１は、外観形状が略直方体形状からなり例えば金属部材で形成される外装部材である筐体１０によって形成されている。この筐体１０の内部には、上述した各種の構成ユニットからなるカメラ本体が内蔵されている。つまり、筐体１０は、カメラ本体の外面を覆うように形成される外装部材となっている。
【００６１】
筐体１０の前面には、レンズ開口１２と、ストロボ窓１３とが形成されている。このうち、レンズ開口１２に対応させて、本カメラ１の内部には、撮影レンズユニット２１の撮影レンズが配設されている。
【００６２】
レンズ開口１２の前面側には、図３に示す矢印Ｘに沿う方向に、レンズ開口１２の前面を露呈する位置（図３に示す位置）と同レンズ開口１２の前面を覆う位置（図４〜図６で示す位置）との間で移動するレンズバリア１４が配設されている。
【００６３】
したがって、本デジタルカメラ１を撮影モードで使用するときには、レンズバリア１４を図３の位置に配置とすることで、被写体からの光束は、レンズ開口１２を介して撮影レンズユニット２１へと入射するようになる。
【００６４】
また、本デジタルカメラ１を撮影以外の動作モード（例えば再生モードや通信モード等）で使用するときには、レンズバリア１４を図４の位置に配置することでレンズ開口１２を覆い塞ぐことになり、撮影レンズユニット２１の前面を保護する。
【００６５】
ストロボ窓１３に対応させて、本カメラ１の内部には、閃光発光装置の発光部（図示せず）が配設されている。したがって、閃光発光装置の発光部からの発光は、ストロボ窓１３を介して本デジタルカメラ１の前面に対向した位置にある被写体に向けて照射される。
【００６６】
なお、図示は省略しているが、筐体１０の背面側には、表示部２８の表示画面を露呈させるための表示開口が形成されている。また、この表示開口の設けられる領域以外の部位には各種の操作部材が複数設けられている。
【００６７】
また、筐体１０の底面には、図５，図６に示すように、本デジタルカメラ１を三脚等の固定機材に固定するための三脚用ネジ穴１０ａが設けられている。さらに、筐体１０の底面には、筐体１０内に着脱自在に配設される電源電池３２，記録媒体２６ａ等を収納する収納室開口を開閉する電池蓋１０ｂが設けられている。
【００６８】
電池蓋１０ｂは、筐体１０に設けられた軸によって一端が回動自在に配設されている。この電池蓋１０ｂは、図５に示す開状態とされることで電池３２及び媒体２６ａの収納室開口を開放する一方、図６に示す閉位置に配置されることで同収納室開口を遮蔽し、筐体１０の底面の一部を形成するようになっている。
【００６９】
なお、電池蓋１０ｂの外表面には、後述する接続ケーブル１７を筐体１０の底面に取り付たときに、当該接続ケーブル１７の位置ずれを抑えるための位置決め穴１０ｃが形成されている。位置決め穴１０ｃは、当該電池蓋１０ｂを開位置に配置したとき、筐体１０の底面側の隅部に当たる位置に設けられる。
【００７０】
本デジタルカメラ１の上面には、シャッターレリーズ操作等を行う操作部材であるシャッターボタン１５や、撮影レンズのズーム操作を行う操作部材であるズームレバー１６等が飛び出すように設けられている。
【００７１】
また、本デジタルカメラ１の一方の側面であって、例えば同カメラ１の正面に向かって左側面には、外方に突出するようにグリップ部１８が形成されている。このグリップ部１８には、ストラップ取付部１８ａが設けられている。
【００７２】
一方、本デジタルカメラ１の筐体１０の前面と背面を除く外面のうち、両側面の略上半部の領域と上面とを覆うように保護部材１１が配設されている。保護部材１１は、デジタルカメラ１を誤って落下させたりした際に、カメラに加わる衝撃を緩和させるために設けられるものである。この保護部材１１の材質としては、例えば柔軟性を有する硬質ゴム部材又はプラスチック樹脂等が適用される。そして、保護部材１１は、その外表面が筐体１０の上面及び両側面の外縁よりも外方に一定量（後述の図７に示す符号Ｂ参照）突出するように設けられている。
【００７３】
他方、本デジタルカメラ１の筐体１０の前面と背面を除く外面のうち、両側面の略下半部の領域と底面とを覆うように通信用の接続ケーブル１７が配設されている。つまり、保護部材１１と接続ケーブル７とで、筐体１０の全周がカバーされることになる。この接続ケーブル１７は、筐体１０の上記所定の部位に対して装着状態（図３で示す状態）と非装着状態（図４〜図６等で示す状態）とに変位自在となっている。
【００７４】
なお、本実施形態のデジタルカメラ１においては、接続ケーブル１７の取り外し可能範囲として図７の符号Ａで示す範囲としている。
【００７５】
接続ケーブル１７の基端部１７ｄは、デジタルカメラ１の筐体１０の所定の位置、即ち本実施形態においては、カメラ１の筐体１０の正面に向かって右側面の略中程の位置に接続されており、この位置から接続ケーブル１７が延び出てくる。
【００７６】
接続ケーブル１７の他端には、上述したように、外部機器との間でデータ通信を行う際に外部機器側の接続部に接続するための接続コネクタ１７ａが設けられている。この接続コネクタ１７ａとしては、具体的には例えばＵＳＢ規格に準拠した形態の接続コネクタが適用される。この接続コネクタ１７ａは、接続ケーブル１７の装着状態（図３参照）では、グリップ部１８に形成されたコネクタ装着部１８ｂ（図５，図６，図７参照）に接続コネクタ１７ａの先端１７ａａが嵌合して配置されるようになっている。これにより、接続ケーブル１７を装着状態としたときには、コネクタ１７は、本デジタルカメラ１のグリップ部１８の一部を構成するようになっている。その一方で、接続ケーブル１７の非装着状態（図５，図６参照）では、接続ケーブル１７は、少なくとも接続コネクタ１７ａを含む所定の長さ分を筐体１０の外周面から取り外すことができるようになっている。
【００７７】
ここで、接続ケーブル１７の装着状態を確実にするために、筐体１０には、接続ケーブル１７が取付られるべき所定の位置、即ち両側面の略下半部の領域から底面にかけて、つまり接続ケーブル１７の取り外し可能範囲にわたって溝部１０ｄが形成されている。この溝部１０ｄは、接続ケーブル１７の幅寸法と略同寸法となっている。
【００７８】
そして、筐体１０の溝部１０ｄに接続ケーブル１７を装着した状態では、接続ケーブル１７の外表面が筐体１０の底面及び両側面の外縁よりも外方に突出するように取り付けられるようになっている。この場合における接続ケーブル１７の外表面の突出量は、図７において符号Ｂで示される寸法となる。この接続ケーブル１７の突出量（符号Ｂの寸法）は、例えば１ｍｍ程度である。また、接続ケーブル１７の厚さ寸法は、図７において符号Ｄで示される寸法となる。
【００７９】
したがって、接続ケーブル１７の装着状態では、筐体１０の底面に設けられる電池蓋１０ｂの外面や三脚用ネジ穴１０ａが接続ケーブル１７によって覆われるようになっている。接続ケーブル１７を装着状態とするときは、本デジタルカメラ１を主に撮影モードで使用する時又は携帯して移動する時等であると考えられる。したがって、この場合に、三脚用ネジ穴１０ａを利用することもある。
【００８０】
そこで、本実施形態においては、接続ケーブル１７の中程の位置であって、該接続ケーブル１７を筐体１０に装着した時に三脚用ネジ穴１０ａに対応する位置に、三脚用ネジ穴１０ａと同等かもしくは若干大径となる穴１７ｂが形成されている。これにより、接続ケーブル１７の装着状態であっても、三脚用ネジ穴１０ａを利用することができるようになっている。
【００８１】
また、接続ケーブル１７においては、接続ケーブル１７を装着状態とした時に、電池蓋１０ｂの外表面に形成された位置決め穴１０ｃに対向する位置に、該位置決め穴１０ｃに嵌合する突起部１７ｃが形成されている。これにより、接続ケーブル１７を筐体１０の底面に取り付たときには、突起１７ｃを位置決め穴１０ｃに嵌合させることで、接続ケーブル１７が位置ずれするのを抑えることができるようになっている。
【００８２】
なお、接続ケーブル１７は、例えば柔軟性を有するプラスチック樹脂等の材質の素材でその外面が被覆されるように形成されている。
【００８３】
上述したように、本デジタルカメラ１においては、筐体１０の外周面のうち主に上半部を覆う保護部材１１は、その外表面が筐体１０の上面及び両側面の外縁部よりも外方に突出するように設けてある。また、接続ケーブル１７の装着状態では、筐体１０の外周面のうち主に下半部を覆うように接続ケーブル１７が取り付けられ、その外表面は筐体１０の底面及び両側面の外縁部よりも外方に突出するように取り付けられる。保護部材１１の突出量と接続ケーブル17の突出量は略同一である。
【００８４】
つまり、本デジタルカメラ１では、保護部材１１と接続ケーブル１７を筐体１０の（前面と背面を除く）外周面に沿わせて設けると共に、保護部材１１と接続ケーブル１７のそれぞれの外表面を筐体１０の外縁部よりも外方に突出するように設けた構成は、次のような理由による。
【００８５】
例えば、本デジタルカメラ１を、その使用中に誤って落下させたような場合を考えると、この場合には、まず筐体１０の外縁部よりも先に、筐体１０の外縁部よりも突出して設けられ柔軟性を有する保護部材１１又は接続ケーブル１７の外表面が床面等に衝突することになる。
【００８６】
このとき、保護部材１１又は接続ケーブル１７が落下衝撃を吸収することになる。したがって、落下等によって、本デジタルカメラ１に対して不要な衝撃等が加わった場合でも、保護部材１１又は接続ケーブル１７が、その衝撃力を吸収するので、当該衝撃力等が筐体１０や、その内部構成ユニットにまで及ぶことがなく、これらの内部構成部材を保護することができるように工夫されている。
【００８７】
本デジタルカメラ１において、接続ケーブル１７が装着状態にあるとき、この接続ケーブルを取り外すには、まず、接続コネクタ１７ａを図４に示す矢印Ｘ１方向に引き抜く。これにより接続コネクタ１７ａは、ストラップ取付部１８ａから分離する。そして、取り外した接続コネクタ１７ａを図４に示す矢印Ｒ１方向に移動させて、接続ケーブル１７の接続コネクタ１７ａに繋がる部分を筐体１０の左側面（下半部）の溝部１０ｄから引き離す。すると、同図４の符号［Ｉ］で示す位置に伸ばした状態になる。
【００８８】
次いで、接続コネクタ１７ａを図４に示す矢印Ｒ２に沿うように移動させて、接続ケーブル１７の中程の部分を筐体１０の底面の溝部１０ｄから引き離す。すると、同図４の符号［ＩＩ］で示す位置に伸ばした状態になる。
【００８９】
さらに、接続コネクタ１７ａを図４に示す矢印Ｒ３に沿うように移動させて、接続ケーブル１７の基端部１７ｄまでの部分を取り外し可能範囲（図７に示す符号Ａ参照）内で筐体１０の右側面（下半部）の溝部１０ｄから引き離す。そして、同図４の符号［ＩＩＩ］で示す位置に伸ばす。この状態で、接続ケーブル１７の接続コネクタ１７ａは、外部機器であるＰＣ２のコネクタ２ａに接続可能な状態となる。
【００９０】
また、接続ケーブル１７を筐体１０に取り付けるには、接続ケーブル１７の基端部１７ｄの近傍部分から筐体１０の溝部１０ｄに対して押し込むように取り付けて行き、電池蓋１０ｂの位置決め穴１０ｃに突起部１７ｃを嵌合させ、接続コネクタ１７ａの先端１７ａａをコネクタ装着部１８ｂに嵌合させる。これにより、接続ケーブル１７は、デジタルカメラ１の外面の一部を覆うように配置されると共に、接続コネクタ１７ａがグリップ部１８の一部として機能するように配置される。
【００９１】
以上説明したように上記第１の実施形態によれば、デジタルカメラ１と外部機器との間でデータ通信を行う通信用の接続ケーブル１７を、デジタルカメラ１から延び出てくるように設ける。この接続ケーブル１７の非使用時、例えば撮影モード時等には、接続ケーブル１７をデジタルカメラ１の外周面上の所定の位置に装着する一方、接続ケーブル１７の使用時、例えばデータ通信モード時等には、接続ケーブル１７をデジタルカメラ１の外周面上から取り外して、接続コネクタ１７ａをＰＣ２等の外部機器に接続し得るように構成した。これにより、接続ケーブル１７の存在を意識することなく、ケーブルの携帯性を向上させることができると共に、接続ケーブル１７を使用するさいには、すぐに取り出して使用することができる。
【００９２】
接続ケーブル１７をデジタルカメラ１に装着した状態では、比較的大きな形状となる接続コネクタ１７ａがデジタルカメラ１のグリップ部１８の一部を構成するように配置されるので、通信用の接続ケーブル１７を一体に構成したにも関らず、デジタルカメラ１の筐体１０の大型化を抑えることができる。
【００９３】
また、接続ケーブル１７の外面の被覆材として、保護部材１１と同様の柔軟性を有する素材を用いて構成したので、接続ケーブル１７の装着状態では、接続ケーブル１７がデジタルカメラ１の主に底面側の保護部材として機能させることができる。つまり、主に底面側に設けられる保護部材に代えて、保護部材としての機能を併せ持つ接続ケーブル１７を取り付けるように構成したので、当該接続ケーブル１７を取り付けた形態としても、デジタルカメラ１の外形サイズの大型化を抑えることができる。
【００９４】
接続ケーブル１７には、装着状態としたとき、デジタルカメラ１側の三脚用ネジ穴１０ａに対応する部位に穴１７ｂを形成したので、本デジタルカメラ１においては、接続ケーブル１７が装着状態であっても、三脚用ネジ穴１０ａを利用することができる。したがって、デジタルカメラ１の外面に接続ケーブル１７を装着したことによって、三脚等の使用を制限することなく、デジタルカメラ１の各構成により可能な本来の機能を阻害するようなこともない。
【００９５】
接続ケーブル１７は、装着状態において筐体１０の外周面に沿うように、即ち筐体１０における一方の側面（右側面）の中程の位置から底面全体を経て他方の側面（左側面）の中程の位置までを覆うように取り付けられるような構成としたので、接続ケーブル１７が必要とする長さ寸法を充分に確保することができる。
【００９６】
接続ケーブル１７を筐体１０に取り付ける際に、筐体１０の側に溝部１０ｄを設けたので、接続ケーブル１７の装着状態においては、接続ケーブル１７の外表面の一部が筐体１０の外縁部よりも外方に突出するような形態を実現しつつ、接続ケーブル１７を筐体１０に対してズレることなく確実に取り付けることができる。
【００９７】
これに加えて、接続ケーブル１７に突起部１７ｃを形成すると共に、筐体１０の底面（本実施形態では電池蓋１０ｂの外表面）に位置決め穴１０ｃを設け、接続ケーブル１７を装着状態としたときには、突起部１７ｃを位置決め穴１０ｃに嵌合させるように構成したので、装着状態時における接続ケーブル１７の筐体１０に対する位置ズレが生じるのを抑止することができる。
【００９８】
上述の第１の実施形態のデジタルカメラにおいては、接続ケーブル１７の他端に接続コネクタ１７ａを設けて構成し、接続ケーブル１７を筐体１０に対して装着状態とするときには、接続コネクタ１７ａの先端１７ａａを筐体１０のコネクタ装着部１８ｂに嵌合させるように構成している。このような構成により、上記第１の実施形態のデジタルカメラ１においては、接続コネクタ１７ａ自体がグリップ部１８の一部を構成するようになっている。
【００９９】
これに対して、次に説明する本発明の第２の実施形態は、図８，図９に示すように、主に接続ケーブル１７の接続コネクタ１７ａと筐体１０のコネクタ装着部１８Ａｂとの構成について、別の形態の例である。
【０１００】
図８，図９は、本発明の第２の実施形態を示す図である。図８は、本実施形態のデジタルカメラの概略構成を示す正面図である。なお、図８では、接続ケーブルを非装着状態としたときのようすの概略を点線で示している。図９は、本実施形態のデジタルカメラの主に左側面の外観を概略的に示す斜視図である。
【０１０１】
本実施形態のデジタルカメラ１Ａの基本的な構成は、上述の第１の実施形態のデジタルカメラ１と略同様であるが、本実施形態のデジタルカメラ１Ａにおいてはグリップ部近傍の形態が若干異なる。したがって、上述の第１の実施形態と同様の構成部材とされているものについては同じ符号を付して詳細説明を省略し、上述の第１の実施形態とは異なる部位についてのみ以下に説明する。
【０１０２】
上述の第１の実施形態のデジタルカメラ１においては、接続ケーブル１７を装着状態としたとき、接続ケーブル１７の接続コネクタ１７ａの先端１７ａａを筐体１０のコネクタ装着部１８ｂに嵌合配置することにより、接続コネクタ１７ａをグリップ部１８の一部として構成するようにしている。
【０１０３】
本実施形態のデジタルカメラ１Ａにおいては、接続ケーブル１７の接続コネクタ１７ａの略全体が収納され得るコネクタ装着部１８Ａｂを設けるようにしている。したがって、接続ケーブル１７の装着状態では、接続コネクタ１７ａの略全体がコネクタ装着部１８Ａｂの内部に配置されるように構成されている。換言すると、本実施形態においては、コネクタ装着部１８Ａｂを上述の第１の実施形態のものに比べて若干大型に構成している。その他の構成は、上述の第１の実施形態と全く同様である。
【０１０４】
一般に、デジタルカメラにおけるグリップ部は、撮影時や持ち運びを行う際に使用者が手指でつかむ部分となっている。
【０１０５】
したがって、本実施形態のデジタルカメラ１Ａによるグリップ部１８Ａの構成によれば、接続ケーブル１７を装着状態としたときに、接続コネクタ１７ａの一部がグリップ部１８Ａの一部として構成されながらも、使用者は、筐体１０と一体に構成されるコネクタ装着部１８Ａｂの外面部分を主につかむことになるので、使用者はより安定してグリップ部１８Ａを把持することができ、さらなる操作性の向上に寄与することができる。
【０１０６】
また、グリップ部の形態は、上述の第１，第２の実施形態で示す形態に限られることはなく、その他のさまざまな形態を考えることができる。
【０１０７】
図１０は、上記第１の実施形態のデジタルカメラにおけるグリップ部の変形例を示し、該デジタルカメラの外観斜視図である。
【０１０８】
この変形例のデジタルカメラ１Ｂにおけるグリップ部１８Ｂにおいては、図１０に示すように、グリップ部１８Ｂが配設される近傍に設けられ、筐体１０の前面に向けて突出する前方突部１８ｄをさらに有して構成されている。そして、接続ケーブル１７の装着状態時のグリップ部１８Ｂは、コネクタ装着部１８ｂと、これに先端１７ａａが嵌合された接続コネクタ１７ａと、上記前方突部１８ｄとによって構成されるようになっている。
【０１０９】
そして、接続ケーブル１７は、筐体１０の底面及び両側面の略下半部の領域に取り付け可能に設けられている。そして、この接続ケーブル１７を装着状態から非装着状態とするには、まず、接続コネクタ１７ａの先端（１７ａａ）を図１０の符号Ｘに沿う方向であって下方向に引き抜いた後、接続コネクタ１７ａ全体を同図符号Ｒに沿う方向に移動させて、接続ケーブル１７を筐体１０の溝部１０ｄから引き離すように取り出す。その他の構成及び作用は、上述の第１の実施形態と全く同様である。
【０１１０】
このように、グリップ部１８Ｂを構成する部分として前方突部１８ｄを加えることで比較的大型化されたグリップ部１８Ｂを備えた本変形例のデジタルカメラ１Ｂにおいても、上述の第１の実施形態と全く同様の効果を得ることができる。
【０１１１】
上述の第１，第２の実施形態及び上記第１の実施形態の変形例においては、接続ケーブルを筐体の外周面うちの底面及び両側面の略下半部を覆うように取り付け可能に構成しているが、接続ケーブルの取り付け部位は、これらの例の限られることはなく、例えば次に示す第３の実施形態のような構成としてもよい。
【０１１２】
図１１，図１２は、本発明の第３の実施形態のデジタルカメラを示す斜視図である。このうち図１１は接続ケーブルの装着状態を示しており、図１２は接続ケーブルの非装着状態を示している。
【０１１３】
本実施形態のデジタルカメラ１Ｃにおいても、その基本的な構成は上述の第１の実施形態等と略同様の構成からなるものであるが、接続ケーブルの筐体に対する配置位置が異なる。したがって、上述の第１の実施形態等において同様の構成部材とされているものについては同じ符号を付してその詳細説明を省略し、上述の第１の実施形態等とは異なる部位についてのみ以下に説明する。
【０１１４】
上述の第１の実施形態のデジタルカメラ１においては、接続ケーブル１７を筐体１０の前面及び背面を除く外周面において、主に底面と両側面の略下半部に取り付けるように構成している。
【０１１５】
本実施形態のデジタルカメラ１Ｃにおいては、図１１，図１２に示すように接続ケーブル１７Ｃの接続コネクタ１７ａを筐体１０Ｃの前面であって、当該デジタルカメラ１Ｃに向かって左寄りの部位に配置するようにしている。
【０１１６】
そのために、筐体１０Ｃの前面であって、当該デジタルカメラ１Ｃに向かって左寄りでかつ上寄りの部位には、コネクタ装着部１８Ｃｂが形成されている。また、コネクタ装着部１８Ｃｂの底面寄りの部位には、接続コネクタ１７ａが取り付けられるべき溝部１０Ｃｄが形成されている。
【０１１７】
したがって、このような構成により、接続ケーブル１７Ｃの装着状態では、図１１に示すようにコネクタ装着部１８Ｃｂに対して接続コネクタ１７ａの先端１７ａａが嵌合配置され、かつ接続コネクタ１７ａが筐体１０Ｃの内部に取り付けられた状態になる。
【０１１８】
そして、接続ケーブル１７Ｃの装着状態（図１１の状態）から非装着状態（図１２の状態）とするには、まず図１２の矢印Ｘに沿う方向であって下方向に接続コネクタ１７ａを引き抜く。これにより接続コネクタ１７ａは、ストラップ取付部１８ａから分離する。続いて、接続コネクタ１７ａ全体を同図符号Ｒに沿う方向に移動させて、接続ケーブル１７Ｃを筐体１０Ｃの前面から引き離すように取り出す。これにより、接続ケーブル１７Ｃは非装着状態になる。
【０１１９】
このように構成した上記第３の実施形態においても、上述の第１の実施形態と同様の効果を得ることができる。
【０１２０】
また、本実施形態の構成によれば、接続ケーブルの長さ寸法について、多くを確保することができないが、その一方で、筐体１０Ｃに対する接続ケーブル１７Ｃの取り付け領域を少なくすることができるので、接続ケーブル１７Ｃの着脱の手間が少なく、操作性が良好であるという利点と共に、接続ケーブルやコネクタ部１７ａの外表面の素材を通常の硬質部材で構成することも可能であるので、装着状態でグリップ部１８Ｃの一部として構成する場合においては、安定したグリップ部１８Ｃを構成することができる。
【０１２１】
さらに、本実施形態の構成によれば、接続ケーブル１７Ｃの着脱方向を、筐体１０Ｃの前面に対して、その前方向に取り外すように構成している。
【０１２２】
このことは、接続ケーブル１７Ｃの装着状態において、使用者がグリップ部１８Ｃを把持したとすると、カメラ自身の重量は接続ケーブル１７Ｃの着脱方向とは直交する方向にかかることになる。
【０１２３】
したがって、接続ケーブル１７Ｃの装着状態において、グリップ部１８Ｃが把持され該カメラが使用中にあるとき、接続コネクタ１７ａがコネクタ装着部１８Ｃｂから意図せずに抜け落ちてしまうようなことがなく、より安定したグリップ部１８Ｃとすることができる。
【０１２４】
なお、上記各実施形態では、本発明を適用する携帯用電子機器としてデジタルカメラを例に挙げて説明しているが、本発明を適用し得る携帯用電子機器としては、これに限られることはない。例えばデジタルカメラ１等によって取得したデジタル画像データに基いて主に画像の再生表示を行う画像再生装置である画像ビュワー１０１がある。また、マイクロフォンで集音した対象物の音声を電気信号に変換処理して取得した音声信号又はライン入力等によって入力される音声信号に基いてデジタル音声データを生成し、生成された音声データを半導体メモリ等の記録媒体に記録するようにしたデジタル音声レコーダ等の音声記録再生装置１０２もある。さらに、この音声記録再生装置１０２等によって取得した音声データに基いて主に音声再生を行う音楽プレーヤ等の音声再生装置１０３や、各種のデジタルデータを扱うさまざまな携帯用電子機器に適用され得る。
【０１２５】
ただし、上述の実施形態における適用例のデジタルカメラにおいては、接続コネクタをグリップ部の一部として構成する例を示しているが、画像ビュワー１０１，音声記録再生装置１０２，音楽プレーヤ１０３等においては、各機器の性質上、特にグリップ部という部位は存在しない場合もある。そこで、これらの機器にあっては、デジタルカメラにおけるグリップ部に変わり得る部位、例えば使用者がその機器を使用するのに際して把持される部位や、機器を携帯するのに用いる吊下げ用紐（ストラップ）を取り付ける基台部位等に置き換えて考えればよい。これらの部位は、基本的に小型に形成される機器のうち、比較的大きめに形成される部位であり、また強度的にも比較的高い強度で形成される部位である。このような部位に対して、接続ケーブル装着状態での接続コネクタが配置されることで、その機器をより安定して把持したり携帯することができるという効果を得られる。
【０１２６】
本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【０１２７】
【図１】本発明の携帯用電子機器を含めて構成されるシステム構成の概略を示す概念図。
【図２】本発明の第１の実施形態の画像装置を備えたデジタルカメラの内部構成の概略を示すブロック構成図。
【図３】図２のデジタルカメラを正面側から見た際の外観図。
【図４】図２のデジタルカメラのケーブルの主に非装着状態とした時のようすを示す外観斜視図であって、ケーブルを装着状態から非装着状態へと変位させた際の態様を順次示すと共に、コネクタが外部機器に接続されるようすを示す図。
【図５】図２のデジタルカメラにおいてケーブルを非装着状態としたデジタルカメラの底面側のようすを示すと共に、電池蓋を開放した状態を示す外観斜視図。
【図６】図５の状態から角度を換えた方向からの様子を示し、かつ電池蓋を閉状態とした際の様子を示す外観斜視図。
【図７】図２のデジタルカメラのケーブル装着状態における正面，上面，底面，右側面，左側面の五面の概略を示す平面図。
【図８】本発明の第２の実施形態のデジタルカメラの概略構成を示す正面図。
【図９】図８のデジタルカメラの主に左側面の外観を概略的に示す斜視図。
【図１０】本発明の第１の実施形態のデジタルカメラにおけるグリップ部の変形例を示す外観斜視図。
【図１１】本発明の第３の実施形態のデジタルカメラにおいて接続ケーブルの装着状態を示す斜視図。
【図１２】図１１のデジタルカメラにおいて接続ケーブルの非装着状態を示す斜視図。
【符号の説明】
【０１２８】
１，１Ａ，１Ｂ，１Ｃ……デジタルカメラ
２……ＰＣ
２ａ……コネクタ
１０，１０Ｃ……筐体
１０ａ……三脚用ネジ穴
１０ｂ……電池蓋
１０ｃ……位置決め穴
１０ｄ，１０Ｃｄ……溝部
１１……保護部材
１２……レンズ開口
１３……ストロボ窓
１４……レンズバリア
１５……シャッターボタン
１６……ズームレバー
１７，１７Ｃ……接続ケーブル
１７ａ……接続コネクタ
１７ｂ……（三脚用）穴
１７ｃ……（位置決め用）突起部
１７ｄ……基端部
１８，１８Ａ，１８Ｂ，１８Ｃ……グリップ部
１８ａ……ストラップ取付部
１８ｂ，１８Ａｂ，１８Ｃｂ……コネクタ装着部
１８ｄ……前方突部
２０……制御部
２１……撮影レンズユニット
２２……撮像部
２３……ＲＡＭ
２４……ＲＯＭ
２５……記録再生部
２６……記憶部
２６ａ……記録媒体
２７……表示制御部
２８……表示部
２９……通信部
３０……操作部
３１……バスライン
１０１……画像ビュワー
１０２……音声記録再生装置
１０３……音声再生装置
１１０……外部装置
１１１……プリンタ
１２０……大規模ネットワーク
【図１】
2009253687.tif 000003
【図２】
2009253687.tif 000004
【図３】
2009253687.tif 000005
【図４】
2009253687.tif 000006
【図５】
2009253687.tif 000007
【図６】
2009253687.tif 000008
【図７】
2009253687.tif 000009
【図８】
2009253687.tif 000010
【図９】
2009253687.tif 000011
【図１０】
2009253687.tif 000012
【図１１】
2009253687.tif 000013
【図１２】
2009253687.tif 000014